(57)【要約】【課題】高容量の２次送り機器を配置可能であり、接続作業性が高く、かつ良好な外観を呈する２次送り機器の配置構造を提供する。【解決手段】主幹ブレーカ２の２次側に機器を配置した２次送り機器の配置構造であって、主幹ブレーカ２と分岐ブレーカ４接続用の主幹バー５とを接続する主幹リードバー３に隣接する位置に、２次送りブレーカ等の２次送り機器６を分岐ブレーカ４に対して平行に配置した。また、主幹リードバー３は、２次送り機器６が接続される延長部８を備えるものとし、この延長部８の位置が主幹バー５に対して、主幹バー５の短手方向に異なるよう、主幹リードバー３を配置することが好ましい。【選択図】図１
2015195681.tif 000002
【特許請求の範囲】
【請求項１】
主幹ブレーカの２次側に機器を配置した２次送り機器の配置構造であって、
主幹ブレーカと分岐ブレーカ接続用の主幹バーとを接続する主幹リードバーに隣接する位置に、２次送り機器を分岐ブレーカに対して平行に配置したことを特徴とする２次送り機器の配置構造。
【請求項２】
前記主幹リードバーは、前記２次送り機器が接続される延長部を備えるものとし、
該延長部の位置が前記主幹バーに対して、該主幹バーの短手方向に異なるよう、前記主幹リードバーを配置したことを特徴とする請求項１記載の２次送り機器の配置構造。
【請求項３】
前記主幹ブレーカを、前記２次送り機器に対して垂直となるよう配置したことを特徴とする請求項２記載の２次送り機器の配置構造。
【発明の詳細な説明】
【技術分野】
【０００１】
本発明は、主幹ブレーカの２次側に機器を配置した２次送り機器の配置構造に関するものである。
【背景技術】
【０００２】
主幹ブレーカと分岐ブレーカとを備えた分電盤において、モータ等の高容量負荷や、他の分電盤等に電力を供給するために、主幹ブレーカの２次側に他の機器（２次送り機器）を増設することがある（特許文献１）。この場合、図５に示すように主幹ブレーカ１０３と主幹バーとを接続する主幹リードバー１０５に対して、電線１０１によって２次送り機器１０２を接続すると、２次送り機器が高容量である場合には、電線１０１が太くなってしまいその取り回しが困難となる。このため電線１０１のサイズが制限され、２次送り機器の容量が制限されるという問題がある。
【０００３】
また、図５のように、２次送り機器１０２は、主幹ブレーカ１０３の隣に、分岐ブレーカ１０４に対して垂直となるよう配置されることが通常である。しかしながら、このような構造では、主幹リードバー１０５からの出線方向と２次送り機器１０２への入線方向が異なるため接続作業性が悪く、また外観が悪いという問題がある。
【先行技術文献】
【特許文献】
【０００４】
【特許文献１】特開２００３−８７９１２号公報
【発明の概要】
【発明が解決しようとする課題】
【０００５】
本発明の目的は前記した従来の問題点を解決し、高容量の２次送り機器を配置可能であり、接続作業性が高く、かつ良好な外観を呈する２次送り機器の配置構造を提供することである。
【課題を解決するための手段】
【０００６】
上記課題を解決するためになされた本発明は、主幹ブレーカの２次側に機器を配置した２次送り機器の配置構造であって、主幹ブレーカと分岐ブレーカ接続用の主幹バーとを接続する主幹リードバーに隣接する位置に、２次送り機器を分岐ブレーカに対して平行に配置したことを特徴とするものである。
【０００７】
請求項２記載の発明は、請求項１記載の２次送り機器の配置構造において、前記主幹リードバーは、前記２次送り機器が接続される延長部を備えるものとし、該延長部の位置が前記主幹バーに対して、該主幹バーの短手方向に異なるよう、前記主幹リードバーを配置したことを特徴とするものである。
【０００８】
請求項３記載の発明は、請求項２記載の２次送り機器の配置構造において、前記主幹ブレーカを、前記２次送り機器に対して垂直となるよう配置したことを特徴とするものである。
【発明の効果】
【０００９】
本発明に係る２次送り機器の配置構造は、主幹リードバーに隣接する位置に、分岐ブレーカに対して平行となるよう２次送り機器を配置するものとした。これにより、主幹リードバーと２次送り機器の入力端子とをリードバーによって直線状に接続することが可能となるため、接続作業性が向上するとともに、高容量の２次送り機器を配置することが可能となる。また、主幹リードバーと２次送り機器とを直線状に接続することにより、良好な外観を呈するものとすることができる。
【００１０】
請求項２に係る発明は、主幹リードバーは、２次送り機器が接続される延長部を備えるものとし、この延長部の位置が主幹バーに対して、主幹バーの短手方向に異なるよう、主幹リードバーを配置するものとした。このような構成により、延長部を延長させることによって、２次送り機器を増設することが可能となる。また、延長部と主幹バーとの配置を、主幹バーの短手方向にずらしたことにより、主幹ブレーカと主幹バーとの間の２次送り機器を配置する空間が、短手方向にずらした分だけ拡大するため、分電盤のサイズを変更することなく高容量の２次送り機器を配置することが可能となる。
【００１１】
請求項３に係る発明は、主幹ブレーカを２次送り機器に対して垂直となるよう配置したものである。これにより、延長部を主幹ブレーカから主幹バーの長手方向に、垂直下向きに直線状に延ばす構造とすることができ、主幹リードバーを短くすることが可能となるため、省スペースで主幹リードバー及び２次送り機器を配置可能となる。
【図面の簡単な説明】
【００１２】
【図１】本実施形態を示す正面図である。
【図２】本実施形態を示す斜視図である。
【図３】本実施形態の主幹リードバーを複数の部材により構成した正面図である。
【図４】第２の実施形態を示す正面図である。
【図５】従来の２次送り機器の配置構造を示す正面図である。
【発明を実施するための形態】
【００１３】
以下に本発明の実施形態を示す。なお本実施形態においては、上下方向、左右方向とは、それぞれ図１の紙面上における上下左右方向を指すものとする。
【００１４】
図１において、１は分電盤の内部の基台、２は基台１に取付けられた主幹ブレーカ２である。主幹ブレーカ２の負荷側には、一体形成された略Ｌ字形状の主幹リードバー３の一端が接続されている。さらに、この主幹リードバー３の他端には、分岐ブレーカ４に接続される主幹バー５が接続されている。
【００１５】
また、主幹リードバー３に隣接し、かつ主幹ブレーカ２と主幹バー５との間となる位置には、２次送り機器６が配置されている。この実施形態では、２次送り機器６は２次送りブレーカである。２次送り機器６は、分岐ブレーカ４に対して同方向、すなわち平行となるよう配置されており、接続バー７を介して主幹リードバー３に接続されている。このような構成によって、主幹リードバー３と２次送り機器６とを直線状に接続バー７で接続することが可能となるため、従来のように電線の取り回しが複雑となることがなく、接続作業性が向上するとともに、接続バー７を使用することができるので、高容量の２次送り機器６を配置することが可能となる。また、主幹リードバー３と２次送り機器６とを直線状に接続することにより、良好な外観を呈するものとすることができる。
【００１６】
主幹リードバー３は、接続バー７を介して２次送り機器６が接続される、主幹ブレーカ２の負荷側から垂直下向きに延長した延長部８を備えるものとした。ここで延長部８は、略Ｌ字形状の主幹リードバー３の直線部を指しており、２次送り機器６が接続される部分を指している。接続バー７は、延長部８に所定ピッチで形成された取付孔９により固定されている。これにより、高容量の２次送り機器６を接続することが可能となるものである。
【００１７】
さらに、この延長部８が主幹バー５に対して、主幹バー５の短手方向、すなわち左右方向に異なる位置となるよう配置されている。このような構成により、延長部８を延長させることによって、２次送り機器６を増設することが可能となる。また、延長部８と主幹バー５との配置を、左右方向にずらしたことにより、主幹ブレーカ２と主幹バー５との間の２次送り機器６を配置する空間が拡大するため、分電盤のサイズを変更することなく高容量の２次送り機器６を配置することが可能となる。なお、この延長部８の長さは、配置する２次送り機器６の数やサイズに合わせて適宜変更することが好ましい。
【００１８】
本実施形態においては、図２のように、３枚の主幹リードバー３が左右方向に並列に配置されており、これら主幹リードバー３に接続される接続バー７のうち、２次送り機器６に最も近い側の接続バー７を直線状に形成し、残りの２つの接続バー７は、他の延長部８と重複しないよう、折り曲げられて形成されている。本実施形態は３極配線であるが、これに限定されず、２極配線または４極配線であっても良い。
【００１９】
本実施形態では、主幹リードバー３は一体形成された略Ｌ字形状のものとしたが、複数部材により主幹リードバー３を形成しても良い。その場合は、図３のように、延長部８を備えた直線状の部材と、これに接続される略Ｌ字形状の部材とにより、主幹リードバー３を構成することが好ましい。これにより、前記直線状の部材を延長することにより、延長部８を延長させることができ、２次送り機器６の増設等に対応することが可能となる。
【００２０】
また、主幹ブレーカ２は、２次送り機器６に対して異なる方向、すなわち垂直方向に配置することが好ましく、これにより、延長部８を主幹ブレーカ２から垂直下向きに直線状に延ばす構造とすることができ、主幹リードバー３を短くすることが可能となるため、省スペースで主幹リードバー３及び２次送り機器６を配置可能となる。
【００２１】
なお、本実施形態では、２次送りブレーカを、接続バー７を介して主幹リードバー３に接続したが、２次送り機器６は２次送りブレーカに限定されず、端子台等のその他の機器であっても差し支えない。
【００２２】
図４に示す第２の実施形態では、主幹ブレーカ２を２次送り機器６及び分岐ブレーカ４と同方向に配置した。これにより、各機器の出線、入線の方向を統一することができるため、接続作業性が向上し、また良好な外観を呈することができる。なお、第２の実施形態においては、主幹リードバー３は略コ字形状に形成するものとし、延長部８は、略コ字形状のうち上下方向に延びる直線箇所に形成することが好ましい。
【符号の説明】
【００２３】
１  分電盤
２  主幹ブレーカ
３  主幹リードバー
４  分岐ブレーカ
５  主幹バー
６  ２次送り機器
７  接続バー
８  延長部
９  取付孔
１０１  電線
１０２  ２次送り機器
１０３  主幹ブレーカ
１０４  分岐ブレーカ
１０５  主幹リードバー
【図１】
2015195681.tif 000003
【図２】
2015195681.tif 000004
【図３】
2015195681.tif 000005
【図４】
2015195681.tif 000006
【図５】
2015195681.tif 000007